(57)【要約】【課題】熱交換器を長手方向に大型化することを可能にした空気調和機を提供することにある。【解決手段】筐体３Ａ内に斜めに熱交換器４を設け、この熱交換器４の空気流出側に送風機６を設け、熱交換器４の空気流入側に当該熱交換器４の長手方向に延在させて当該熱交換器４と並列に電装箱２３を設けた。【選択図】　　　図１
2004144320.tif 000002
【特許請求の範囲】
【請求項１】
筐体内に斜めに熱交換器を設け、この熱交換器の空気流出側に送風機を設け、前記熱交換器の空気流入側に当該熱交換器の長手方向に延在させて当該熱交換器と並列に電装箱を設けたことを特徴とする空気調和機。
【請求項２】
前記電装箱が前記筐体の長手方向の内壁面に沿って固定されていることを特徴とする請求項１記載の空気調和機。
【請求項３】
前記熱交換器の空気流入側の面にサブドレンパンを設け、このサブドレンパンに前記電装箱を避けるように空気清浄フィルタを設けたことを特徴とする請求項１又は２記載の空気調和機。
【請求項４】
前記空気清浄フィルタを複数有し、電装箱とオーバーラップしない位置の空気清浄フィルタを、電装箱とオーバーラップする位置の空気清浄フィルタよりも前記筐体の奧側に配置したことを特徴とする請求項１乃至３のいずれか一項記載の空気調和機。
【発明の詳細な説明】
【０００１】
【発明の属する技術分野】
本発明は空気調和機に係り、特に、天井埋め込み型の空気調和機に関する。
【０００２】
【従来の技術】
一般に、空気調和機を室内の天井内に埋め込み、この空気調和機により前記室内の空調を行なうことにより、室内のスペース効率の向上を図るようにした空気調和機が多く用いられている（例えば、特許文献１参照。）。
【０００３】
このような従来の空気調和機では、筐体内に熱交換器及び送風機が内蔵され、熱交換器の冷媒系に配置された電磁弁、或いは送風機等への制御線が接続された電装箱が、この筐体内に配設されている。
【０００４】
この電装箱は、従来、熱交換器の空気流出側であって、当該熱交換器の真横に冷媒配管類と一緒にまとめて配置されている。
【０００５】
【特許文献１】
実公平３−２７２２６号公報
【０００６】
【発明が解決しようとする課題】
近年、空気調和機においては、特に、ＣＯＰの向上が図られており、そのため熱交換器の大きさは可能な限り大きくする必要がある一方で、小型コンパクト化が求められ、狭い筐体内に大きな熱交換器を如何に効率よく収納するかが課題となっている。この場合、従来のように、熱交換器の真横に冷媒配管類と一緒にまとめて電装箱を配置した構成では、この電装箱が邪魔になって、熱交換器を長手方向に大型化することが困難になる。
【０００７】
そこで、本発明の目的は、熱交換器を長手方向に大型化することを可能にした空気調和機を提供することにある。
【０００８】
【課題を解決するための手段】
請求項１記載の発明は、筐体内に斜めに熱交換器を設け、この熱交換器の空気流出側に送風機を設け、前記熱交換器の空気流入側に当該熱交換器の長手方向に延在させて当該熱交換器と並列的に電装箱を設けたことを特徴とする。
【０００９】
請求項２記載の発明は、請求項１記載のものにおいて、前記電装箱が前記筐体の長手方向の内壁面に沿って固定されていることを特徴とする。
【００１０】
これらの発明では、電装箱を、熱交換器の空気流入側に熱交換器の長手方向に延在させて熱交換器と並列的に設けたため、熱交換器の真横のスペースがあき、その分だけ熱交換器の長手方向のサイズを大きくできる。
【００１１】
請求項３記載の発明は、請求項１又は２記載のものにおいて、前記熱交換器の空気流入側の面にサブドレンパンを設け、このサブドレンパンに前記電装箱を避けるように空気清浄フィルタを設けたことを特徴とする。
【００１２】
請求項４記載の発明は、請求項１乃至３のいずれか一項記載のものにおいて、前記空気清浄フィルタを複数有して、電装箱とオーバーラップしない位置の空気清浄フィルタを、電装箱とオーバーラップする位置の空気清浄フィルタよりも前記筐体の奧側に配置したことを特徴とする。
【００１３】
これらの発明では、複数の空気清浄フィルタを、電装箱が邪魔にならない位置に配設し、電装箱とオーバーラップしない位置の空気清浄フィルタを、可能な限り筐体の奧側に配置したため、流入空気が多く通過する部分に、空気清浄フィルタを配置でき、清浄化効率が向上する。
【００１４】
【発明の実施の形態】
以下、本発明の一実施形態について図面を参照して説明する。
【００１５】
図１において、符号１は室内の天井板１を示す。この天井板１の所定位置には、取付用開口２が形成されており、この取付用開口２の内側部分には、所定の空気調和機３が取付けられている。
【００１６】
この空気調和機３は筐体３Ａを備え、この筐体３Ａの内部には、熱交換器４が３０゜〜４５゜程度の小さな傾斜角度で傾斜して配設されており、この熱交換器４の内部には、所定のチューブ５が図において直角方向に蛇行するように内蔵されている。そして、このチューブ５には、冷媒圧縮機、四方弁、室外熱交換器および減圧装置が内蔵された図示しない室外機からの冷媒が導通されるようになされており、この熱交換器４の空気の流出側近傍には、例えば、クロスフローファン等からなる送風機６が配設されている。
【００１７】
また、熱交換器４の下面の空気吸込側面４ａには、内部吸込グリル７が配設されており、この内部吸込グリル７には、熱交換器４の横方向に延在する４枚の案内羽根８が配設されている。
【００１８】
この内部吸込グリル７の両端部には、熱交換器４の縦方向に延在し案内羽根８を保持する側板９が連結されており、案内羽根８の上端部は、熱交換器４に吸込まれた空気が送風機６の下方に集中するように緩やかに傾斜されている。案内羽根８の下端部は、ほぼＶ字状に折曲形成されており、この折曲部分は、サブドレンパン１０とされている。
【００１９】
熱交換器４の下端部下方には、メインドレンパン１１が配設されており、このメインドレンパン１１には、熱交換器４の表面に室内空気との熱交換により生じてサブドレンパン１０に滴下されたドレンが流入されるようになされている。サブドレンパン１０は、熱交換器４の空気吸込側面４ａに沿って設けられ、サブドレンパン１０の下面には、空気清浄フィルタ２１が設けられている。空気清浄フィルタ２１は複数配置されている。
【００２０】
また、筐体３Ａには、メインドレンパン１１部分を被覆するように化粧パネル１２が配設され、この化粧パネル１２の熱交換器４の下方位置には、室内空気の吸込口１３が形成されるとともに、化粧パネル１２の送風機６の下方位置には、熱交換後の空気の吹出口１４が形成されている。
【００２１】
図２は、本空気調和機３を下から見ており、上記化粧パネル１２には、空気の吸込口１３と、吹出口１４とが形成されている。
【００２２】
図３は、化粧パネル１２を取り外した状態を示し、室内空気の吸込口１３側に相当する部位には、２つの空気清浄フィルタ２１Ａ，２１Ｂが配置されると共に、これら空気清浄フィルタ２１Ａ，２１Ｂを避けるように細長い電装箱２３が、筐体３の長手方向の内壁面３Ｂに沿って取り付け具２２（図１）を介して固定されている。この電装箱２３は、熱交換器４の長手方向に延在し、当該熱交換器４と並列に延びるように配設されている。
【００２３】
本実施形態では、電装箱２３が、熱交換器４の長手方向に延在し、当該熱交換器４と並列に配設されているため、従来のように、熱交換器４の真横に冷媒配管類と一緒にまとめて配設した場合と比べて、電装箱が邪魔にならず、熱交換器４を長手方向に大型化することができる。
【００２４】
図４は、図３の図中右側部分の拡大図である。これによると、熱交換器４の真横には、冷媒配管５０、電磁弁５１等の各種機器類と、破線で示すドレンポンプ５３等がまとめて配設されている。従来、これらと一緒のスペースに、電装箱が配設されていたが、本実施形態では、電装箱２３が、熱交換器４の長手方向に延在し、当該熱交換器４と並列に配設されたため、その分だけ熱交換器４の長手方向への大型化が実現された。
【００２５】
空気清浄フィルタ２１Ａ，２１Ｂは、空気が多く通過する部分、具体的には筐体３Ａの奧側に配設することが望ましい。
【００２６】
本実施形態では、図３に示すように、２つの空気清浄フィルタ２１Ａ，２１Ｂが、熱交換器４の長手方向に並べて配置されており、電装箱２３と位置的にオーバーラップする一方の空気清浄フィルタ２１Ａは、上述した電装箱２３を避けるために、筐体３Ａの奧側にあまり押し込まず、電装箱２３を避けるようにして、筐体３Ａの手前側に配設されている。
【００２７】
また、電装箱２３と位置的にオーバーラップしない他方の空気清浄フィルタ２１Ｂは、電装箱２３と位置的にオーバーラップする空気清浄フィルタ２１Ａよりも筐体３Ａの奧側に配置されている。
【００２８】
本実施形態では、電装箱２３を、熱交換器４と並列に設けることにより、熱交換器４の真横のスペースをあけたため、熱交換器４の長手方向のサイズを大きくすることができ、その分、空気調和機３のＣＯＰ（成績係数）を向上させることができる。また、２つの空気清浄フィルタ２１Ａ，２１Ｂを、電装箱２３が邪魔にならない位置に配設し、しかも、電装箱２３と位置的にオーバーラップしない空気清浄フィルタ２１Ｂを、可能な限り筐体３Ａの奧側に配設したため、流入空気が多く通過する部分に、空気清浄フィルタ２１Ｂを位置させることができ、清浄化効率を向上させることができる。
【００２９】
以上、一実施形態に基づいて本発明を説明したが、本発明は、これに限定されるものではなく、種々変更が可能である。
【００３０】
【発明の効果】
本発明では、筐体内に配置された熱交換器を当該熱交換器の長手方向に大型化することができる。
【図面の簡単な説明】
【図１】本発明に係る空気調和機の一実施形態を示す縦断面図である。
【図２】空気調和機を下から見た図である。
【図３】化粧パネルを外して空気調和機を下から見た図である。
【図４】図３の図中右側部分の拡大図である。
【符号の説明】
１　天井板
３　空気調和機
３Ａ　筐体
４　熱交換器
６　送風機
１０　サブドレンパン
１１　メインドレンパン
１２　化粧パネル
１３　吸込口
１４　吹出口
２１，２１Ａ，２１Ｂ　空気清浄フィルタ
２３　電装箱
５０　冷媒配管
５１　電磁弁
５３　ドレンポンプ
【図１】
2004144320.tif 000003
【図２】
2004144320.tif 000004
【図３】
2004144320.tif 000005
【図４】
2004144320.tif 000006